(57)【特許請求の範囲】
【請求項１】
室内で足に履く左右一対のルームシューズであって、
足甲、足裏および踵を覆うように、布帛で形成された足部と、
前記足部に連続して形成され、足首を覆うように、布帛で形成された筒部と、
前記足部における足甲および踵に対向する位置ならびに前記筒部における足首に対向する位置に、前記布帛に内包された中綿とを含み、
前記布帛は、表側生地と肌側生地と前記表側生地および前記肌側生地の間に設けられた内生地とを含み、
前記中綿は、前記内生地と前記肌側生地との間に内包され、
前記布帛の少なくとも一部は２本針で縫製され、前記布帛の中の少なくとも表側生地は前記中綿が吹き出すことを防止するようにコーティング加工され、前記布帛の中の少なくとも内生地は２１０番手の生地で高密度織りされていることを特徴とするルームシューズ。
【請求項２】
前記中綿は、ダウンを含むことを特徴とする、請求項１に記載のルームシューズ。
【発明の詳細な説明】
【技術分野】
【０００１】
本発明は、主として室内で使用される室内履きであるルームシューズに関し、特に、高い防寒性能を有し、その防寒性能のために設けられた中綿がルームシューズ外に出ることなく、その防寒性能が経時的に低下しないブーツタイプのルームシューズに関する。
【背景技術】
【０００２】
室内で使用される室内履きの代表的なものとして、スリッパとサンダルとがある。近年では、スリッパよりも足から抜け難い靴の形状に近いルームシューズの需要が高まっている。このルームシューズには、歩きやすさ、および、快適な履き心地が求められる。このような機能に加えて、冬季の防寒対策を施した、ブーツタイプ（足の全体をすっぽりと覆うタイプ）のルームシューズも見られる。このようなルームシューズは、軽くて、暖かくて、重宝されており、さまざまなタイプのルームシューズが開発されている。防寒対策としては、ルームシューズの内面に中綿を含ませている。
【０００３】
たとえば、特開２００８−８６５５９号公報（特許文献１）は、防寒対策ではないものの中綿を内面に含む室内履きを開示する。この室内履きは、足裏が接触する接足面を有する履物台と、この履物台の上面側で足首より下の足全体を覆うアッパー部とを一体に有した形状を備え、アッパー部は、中綿とこれを被覆する布帛製の被覆材とで構成されている。
【０００４】
また、このような構成を備え、専ら防寒用として中綿にダウン、フェザー等の羽毛を採用したブーツタイプ（ショートブーツタイプ、ロングブーツタイプ）のルームシューズが販売されている。
【先行技術文献】
【特許文献】
【０００５】
【特許文献１】特開２００８−８６５５９号公報
【発明の概要】
【発明が解決しようとする課題】
【０００６】
しかしながら、特許文献１に開示された室内履きや公知のルームシューズでは、以下の問題点がある。
このようなルームシューズの中綿として採用されるダウンは、真ん中の核から手のひらのように羽枝がたくさん広がったダウンボールと呼ばれる構造を持っている。羽枝を広げた羽毛同士が集まると多くの空気を保持することができ、それが保温層となって高い防寒性能を発現する。その一方で、ダウンボールは、極めて軽く、１個１個が独立しており、羽軸がなくフワフワとしたタンポポの種子のような形をしているので、生地の隙間からでも、縫製の小さな穴からでもダウンが被覆材の中から飛び出して、ルームシューズの外部へ吹き出して（飛び出して）しまう。吹き出したダウンは被覆材に戻すことができず、ダウンが室内に浮遊したり、ダウンが減少して防寒性能が低下する可能性が高い。
【０００７】
特に、ルームシューズは、羽毛布団等と異なり、歩く度に形状が繰り返し変化したり、体重が被覆袋に付与されたりする。このため、ダウンが室内に浮遊したり、時間の経過とともに防寒性能が低下したりすることが、羽毛布団等よりも大きな問題になりやすい。なお、このような問題は、ダウンに限定して発生するものではなく、ダウンに加えてフェザー等を含む羽毛一般に言えることである。
【０００８】
本発明は、従来技術の上述の問題点に鑑みて開発されたものであり、その目的とするところは、高い防寒性能を有し、その防寒性能のために設けられた中綿がルームシューズ外に出ることなく、その防寒性能が経時的に低下しないブーツタイプのルームシューズを提供することを目的とする。
【課題を解決するための手段】
【０００９】
上記目的を達成するため、本発明に係るルームシューズは以下の技術的手段を講じている。
すなわち、本発明に係るルームシューズは、室内で足に履く左右一対のルームシューズ
であって、足甲、足裏および踵を覆うように、布帛で形成された足部と、前記足部に連続して形成され、足首を覆うように、布帛で形成された筒部と、前記足部および前記筒部における足に対向する位置に、前記布帛に内包された中綿とを含む。前記布帛は、表側生地と肌側生地と前記表側生地および前記肌側生地の間に設けられた内生地とを含み、前記中綿は、前記内生地と前記肌側生地との間に内包されている。前記布帛の少なくとも一部は２本針で縫製され、前記布帛の中の少なくとも表側生地は前記中綿が吹き出すことを防止するようにコーティング加工され、前記布帛の中の少なくとも内生地は高密度織りされていることを特徴とする。
【００１０】
好ましくは、前記中綿は、ダウンを含むように構成することができる。
【発明の効果】
【００１１】
本発明のルームシューズによれば、高い防寒性能を有し、その防寒性能のために設けられた中綿がルームシューズ外に出ることなく、その防寒性能が経時的に低下しないようにできる。
【図面の簡単な説明】
【００１２】
【図１】本発明の実施の形態に係るルームシューズの全体斜視図である。
【図２】（ａ）は図１のルームシューズの外観側面図、（ｂ）はその断面図、（ｃ）はその裏面図である。
【図３】図２（ｂ）の部分拡大図である。
【図４】肌側生地の縫着状態を説明するための図である。
【発明を実施するための形態】
【００１３】
以下、本発明の実施の形態に係るルームシューズ１００を、図面に基づき詳しく説明する。なお、ルームシューズの構造には様々なものがあり、本発明は特定の構造に限定されるものではなく、後述する３つの特徴（第１〜第３の特徴）を備えたものであれば、どのようなルームシューズの構造であっても、ルームシューズを構成する布帛の型紙およびその縫製がどのようなものであっても構わない。そのため、以下に示すこのルームシューズ１００の構造自体は単なる例示でしかない。
【００１４】
図１に、本実施の形態に係るルームシューズ１００の全体斜視図を、図２（ａ）にその外観側面図、図２（ｂ）にその外観側面の断面図、図２（ｃ）にその裏面図を、それぞれ示す。
これらの図に示すように、このルームシューズ１００は、大きくは、ユーザの足の甲、足の裏および踵を覆うように、布帛（後述する表側生地（表地）１０、内生地１２および肌側生地（裏地）１６）で形成された足部１２０と、その足部１２０に連続して形成され、足首を覆うように、同じように布帛で形成された筒部１３０と、足部１２０の裏面に設けられ床面に接地する足底部１１０とで構成される。
【００１５】
足底部１１０は、足裏の形状に対応する形状を備え、足底部１１０の形状を保持するための芯材１１４と、芯材１１４の裏面側に設けられ床面に接地する底布１１２と、底布１１２の少なくとも土踏まず部分および踵部に、接着剤で貼着した滑り防止部１１６で構成される。芯材１１４は、ユーザの体重が付与されても足底部１１０の形状を保持することにより、このルームシューズ１００の全体の形状を保持する。しかしながら、このルームシューズ１００の全体の形状または足底部１１０の形状を保持することができれば、芯材１１４を含まない構造であっても構わない。滑り防止部１１６は、微少なゴム等の突起が表面に多数形成されて滑り止め加工が施された合成皮革等のシートである。
【００１６】
足部１２０は、ユーザの足の甲、足の裏および踵を覆うように布帛で形成され、防寒のために、足部１２０におけるユーザの足に対向する位置に、生地に内包された中綿１４が設けられている。なお、本実施の形態に係るルームシューズ１００は、底の部分に中綿１４を備えないが、底の部分に中綿１４を備えるようにしても構わない。
筒部１３０は、足首を覆うように布帛で形成され、防寒のために、筒部１３０におけるユーザの足に対向する位置に、生地に内包された中綿１４が設けられている。筒部１３０には、ユーザがこのルームシューズ１００に足を挿入するための開口部１３２と、その挿入および離脱を容易にすべく開口面積を広げるためのＶ字開口部１３４とを備えている。
【００１７】
上述したように、このルームシューズ１００は、防寒のために、足部１２０および筒部１３０におけるユーザの足に対向する位置に、生地に内包された中綿１４が設けられている。
図２（ｂ）における円部分を拡大した図３に示すように、このルームシューズ１００を構成する生地は、表側生地１０と、肌側生地１６と、表側生地１０および肌側生地１６の間に設けられた内生地１２とで構成される。中綿１４は、内生地１２と肌側生地１６との間に内包される。中綿１４は、防寒性に優れたダウンやフェザー等である。なお、図３では、ユーザの足に符号Ｆを付している。
【００１８】
なお、生地（表側生地１０、内生地１２および肌側生地１６）および中綿１４の素材は、特に限定されるものではないが、たとえば、表側生地１０および肌側生地１６は、ポリエステル１００％、中綿１４はダウン５０％およびフェザー５０％、底布１１２は、ポリエステル７０％、綿２５％およびレーヨン５％である。
ところで、このような中綿１４として採用されるダウンやフェザー等の羽毛は、上述したように、生地の織り目の隙間からでも、縫製の小さな穴からでも、羽毛がこのルームシューズ１００の外部へ吹き出して（飛び出して）しまう。その結果、羽毛が室内に浮遊したり、羽毛が減少してルームシューズの防寒性能が低下する。このような問題に対して、本実施の形態に係るルームシューズ１００においては、以下のような特徴を備える。このルームシューズ１００においては、
第１の特徴：生地と生地、生地と他の部材とを２本針により縫製し、
第２の特徴：少なくとも表側生地１０は中綿１４が吹き出すことを防止するようにコーティング加工し、
第３の特徴：少なくとも内生地１２は高密度織りしている。
【００１９】
以下に、このような特徴について詳しく説明する。
第１の特徴については、図２（ｂ）の矢示Ａ部分に示すように、表側生地１０（および内生地１２）と肌側生地１６とを２本針で縫製したり、図２（ｂ）の矢示Ｂ部分に示すように、表側生地１０（および内生地１２）と他の部材（底布１１２、芯材１１４）とを２本針により縫製したり、図２（ｂ）の矢示Ｃ部分に示すように、肌側生地１６と他の部材（底布１１２、芯材１１４）とを２本針により縫製したりしている。
【００２０】
筒部１３０を足部１２０から切り離し肌側生地１６を切断して、足底部１１０を上方から見た図（図２（ｂ）の矢示Ｘ方向から見た図）を図４に示す。この図４に示すように、肌側生地１６と他の部材（底布１１２、芯材１１４）とが２本針により縫製しているため、２本針縫い目１１８が形成されている。比較品（従来品）が４針／ｉｎｃｈで１本針構成であるミシンで縫製したのに対して、このルームシューズ１００である実施品（発明品）は５針／ｉｎｃｈで２本針構成であるミシンで縫製した。
【００２１】
第２の特徴については、少なくとも表側生地１０は中綿１４が吹き出すことを防止するように表面をコーティング加工している。このルームシューズ１００においては、表側生地１０および肌側生地１６をコーティング加工している。特に、このコーティング加工するにあたり、比較品（従来品）よりも実施品（発明品）は、加工ムラのないコーティング剤を採用している。
【００２２】
第３の特徴については、少なくとも内生地１２は高密度織りしている。比較品（従来品）が１９０番手の生地であるのに対して、このルームシューズ１００である実施品（発明品）は２１０番手の生地を採用した。なお、番手とは、８４０ヤード（７６８．１メートル）で１ポンド（４５３．６グラム）あれば１番手といい、同じ重さで２倍の長さがあると２番手となる。この番手の数字が大きくなればなるほど、糸が細くなり生地の目が詰まって、より高密度に織られた生地になる。
【００２３】
以下の表１に、比較品（従来品）および実施品（発明品）の３つの特徴の違いをまとめて示す。
【００２４】
【表１】
0005981745.tif 000002
【００２５】
このような比較品（従来品）および実施品（発明品）について、実際にルームシューズを１日間着用して羽毛の吹き出し状態（飛び出し状態）を評価した。なお、羽毛の吹き出し態様は、生地からの吹き出し、縫い目からの吹き出し、家庭用タンブル乾燥機における脱落がある。以下の表２に、比較品（従来品）および実施品（発明品）の評価結果を示す。
【００２６】
【表２】
0005981745.tif 000003
【００２７】
表２に示すように、比較品（従来品）が７６箇所（１００％）に対して、実施品（発明品）は１５箇所（２０％）にとどまり、約８０％改善された。このように、このルームシューズ１００は、上述した第１〜第３の特徴を備えることにより、羽毛の吹き出しが大幅に改善できた。
なお、実施品（発明品）において、コーティング剤の変更により均一にコーティングされるとともに、（一様に）通気性が低下した（通気性が悪くなった）。しかしながら、着用時において、表側生地１０および肌側生地１６が破裂して中綿１４が飛び出すことも、ムレ感を感じることについても、問題にならなかった。
【００２８】
以上のようにして、本実施の形態に係るルームシューズ１００によると、足部１２０と、足部１２０に連続して形成された筒部１３０と、足底部１１０とで構成され、足部１２０および筒部１３０におけるユーザの足に対向する位置に、生地に内包された中綿１４が設けられている。生地と生地および生地と他の部材とを２本針により縫製し、少なくとも表側生地１０は中綿１４が吹き出すことを防止するようにコーティング加工し、少なくとも内生地１２は高密度織りしているので、羽毛の吹き出しを抑制できる。その結果、高い防寒性能を有し、その防寒性能のために設けられた中綿がルームシューズ外に出ることなく、その防寒性能が経時的に低下しないルームシューズを提供することができる。
【００２９】
なお、今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【産業上の利用可能性】
【００３０】
本発明は、室内で履くルームシューズ（室内履き）に好適であり、冬季の防寒機能に優れたルームシューズに特に好ましい。
【符号の説明】
【００３１】
１０  表側生地（表地）
１２  内生地
１４  中綿
１６  肌側生地（裏地）
５０  腹巻き部
１００  ルームシューズ
１１０  足底部
１１２  底布
１１４  芯材
１１６  滑り防止部
１１８  ２本針縫い目
１２０  足部
１３０  筒部
１３２  開口部
１３４  Ｖ字開口部
【図１】
0005981745.tif 000004
【図２】
0005981745.tif 000005
【図３】
0005981745.tif 000006
【図４】
0005981745.tif 000007